(57)【特許請求の範囲】
【請求項１】
台所に設けられた調理器から発生する油煙や湿気を室外へ排気する送風機と、前記調理器がガス調理器か電気調理器であるか、および動作状態を認識し、識別する識別部と、この識別部によりガス調理器と識別されたときにガスの燃焼状態に合わせて排気風量調節を行うガス調理器モードと、前記識別部により電気調理器と識別されたときに所定の風量にて運転する電気調理器モードとを設けた制御部とを備え、前記送風機を、前記識別部により自動的に識別された調理器に対応したモードで前記制御部により運転制御する構成とした調理器連動型レンジフード。
【請求項２】
制御部に手動運転モードを設け、排気風量を手動調節する運転指定部の操作により制御する構成とした請求項１記載の調理器連動型レンジフード。
【請求項３】
制御部および調理器に連動用出力接続部を設け、制御部と調理器の連動用出力接続部を有線で接続し連動させる構成とした請求項１記載の調理器連動型レンジフード。
【請求項４】
調理器に連動用無線信号送信部を設け、制御部に前記調理器からの無線信号を受信する連動用無線信号受信部を接続し連動させる構成とした請求項１記載の調理器連動型レンジフード。
【発明の詳細な説明】
【０００１】
【発明の属する技術分野】
本発明は、加熱調理器の動作に連動して台所で発生する油煙や湿気を室外へ排気する調理器連動形レンジフードに関する。
【０００２】
【従来の技術】
近年、調理器の動作に連動してレンジフードを運転させる調理器連動形レンジフードが普及しつつある。
【０００３】
従来のこの種の調理器連動形レンジフードは図７に示すものが一般的であった。以下、その構成について図７を参照しながら説明する。
【０００４】
図に示すように、台所で発生する油煙や湿気を室外へ排気するための送風機１０１と、調理器１０２の点火用つまみにこの点火用つまみの回動に連動して信号を発するスイッチ１０３と、スイッチ１０３からの信号入力を受けつけ、調理器の点火口数を検知して、その信号に対応するモードにて送風機１０１を運転制御する制御部１０４により調理器連動形レンジフード１０５は構成されていた。
【０００５】
上記構成において、スイッチ１０３により調理器１０２の運転状態が認識されると、制御部１０４は、あらかじめ定められた所定の運転モードにて送風機１０１を運転、停止して、台所で発生する油煙や湿気を室外へ排気していた。
【０００６】
【発明が解決しようとする課題】
このような従来のレンジフード構成では、点火用つまみの回動に連動して信号を発するスイッチ１０３からの信号入力を受けつけ、調理器の点火口数を検知して、その信号に対応するモードにて送風機１０１を運転制御するため、調理器１０２がガス調理器であっても電気調理器であっても送風機１０１の運転パターンに違いがないので、調理器１０２がガス調理器の場合には排気量がガスの燃焼量に合っていない場合があり、また調理器１０２が電気調理器の場合には上昇気流が少ないため排気量が少なくて油煙や湿気を室外へ排気しきれない場合があるなど、適切な排気量の確保ができないという問題があった。
【０００７】
本発明は上記課題を解決するもので、調理器の種類を識別することにより適切な排気量を確保することのできる調理器連動形レンジフードを提供することを目的とする。
【０００８】
【課題を解決するための手段】
本発明の調理器連動形レンジフードにおいては、現在設置されている調理器の種類をレンジフードが自動的に検知して各モードにて運転する構成としたものである。
【０００９】
この本発明によれば、調理器の種類を識別することにより適切な排気量を確保することのできる調理器連動形レンジフードを提供することができる。
【００１０】
【発明の実施の形態】
本発明の請求項１に記載の発明は、台所に設けた調理器から発生する油煙や湿気を室外へ排気する送風機と、前記調理器がガス調理器か電気調理器であるか、および動作状態を認識し識別する識別部と、この識別部によりガス調理器と識別されたときに、ガスの燃焼状態に合わせて排気風量調節を行うガス調理器モードと、前記識別部により電気調理器と識別されたときに、所定の風量にて運転する電気調理器モードとを設けた制御部とを備え、前記送風機を、前記識別部により自動的に識別された調理器に対応したモードで前記制御部により運転制御する構成とした調理器連動型レンジフードの構成としたものであり、調理器の種類を識別し、識別された調理器に対応したモードで運転するので、適切な排気量で運転することができ、排気量の不足により台所が油煙や湿気で汚染することが防止できる作用を有する。
【００１１】
以下、本発明の実施の形態について、図１〜図５を参照しながら説明する。
（実施の形態１）
図１および図２に示すように、台所１に設けた調理器２から発生する油煙や湿気を室外に排気する送風機３と、紫外線センサー４と温度センサー５から出力される信号により調理器２がガス調理器であるか電気調理器であるか、および調理器２の動作状態を認識する識別部６と、この識別部６によりガス調理器と識別されたときにガスの燃焼状態にあわせて排気風量調節を行うガス調理器モードと識別部６により電気調理器と識別されたときに所定の風量にて運転する電気調理器モードとを設けた制御部７とを設け、送風機３を識別部６により自動的に識別された調理器２に対応したモードで制御部７により運転制御するようにレンジフード本体８を構成する。
【００１２】
上記構成において、紫外線センサー４により紫外線を検知し、かつ温度センサー５により所定値以上の温度を検知した場合にはガス調理器が動作開始したと識別部６が判断し、ガス調理器モードにて制御部７が送風機３を所定回転数にて運転して排気を行い、その後、温度センサー５により検知した温度を所定値と比較して制御部７が送風機３の回転数を変化させ排気する。
【００１３】
また、紫外線センサー４により紫外線を検知できず、かつ温度センサー５により所定値以上の温度を検知した場合には電気調理器が動作開始したと識別部６が判断し、電気調理器モードにて制御部７が送風機３を所定回転数にて運転して排気を行う。
【００１４】
このように本発明の実施の形態１の調理器連動形レンジフードによれば、調理器２の種類を識別することにより適切な排気量を確保することができることとなる。
【００１５】
（実施の形態２）
図３に示すように、制御部７Ａに手動運転モードを設け、排気風量を手動調節する運転指定部９の操作により制御する構成とする。
【００１６】
上記構成において、現状の排気状態が思わしくない場合には、使用者が運転指定部９を手動で操作することにより排気風量を設定することができることとなる。
【００１７】
このように本発明の実施の形態２の調理器連動形レンジフードによれば、現状の排気状態が思わしくない場合には、使用者が任意に排気風量を設定できるので使用者の意志を反映した排気量を確保することができることとなる。
【００１８】
（実施の形態３）
図４および図５に示すように、ガス調理器内に連動用出力接続部１０、ブリッジダイオード１１、抵抗１２、トランジスター１３、マイコン１４、コンロの着火を検出するための着火確認部１５を設け、電気調理器内に連動用出力接続部１０Ａ、ブリッジダイオード１１Ａ、抵抗１２Ａ、コンロの動作を検出するためのフォトカプラー１６を設け、レンジフード本体（図示せず）内に連動用出力接続部１０Ｂ、抵抗１２Ｂ、１２Ｃ、１２Ｄ、制御部７Ｂ、直流安定化装置１７を設けた構成とする。
【００１９】
上記構成において、ガス調理器内に設けられた連動用出力接続部１０とレンジフード内に設けられた連動用出力接続部１０Ｂを有線で接続した状態で、着火確認部１５からの信号をマイコン１４が受け付け、あらかじめ設定した内容に従ってマイコン１４からトランジスター１３へ信号を出力させトランジスター１３をＯＮ−ＯＦＦさせると、接続点１８の波形が矩形波となる。接続点１８の電圧１９を抵抗１２Ｂ，抵抗１２Ｃにて分圧した値を制御部７Ｂが受け付け、制御部７Ｂは、あらかじめ設定した内容の矩形波の信号を受け付けると、所定のモードに従い送風機（図示せず）を制御して排気を行う。
【００２０】
また、電気調理器内に設けられた連動用出力接続部１０Ａとレンジフード本体内に設けられた連動用出力接続部１０Ｂを有線で接続した状態で、電気調理器が動作を開始するとフォトカプラー１６がＯＮして接続点１８の電圧が低下する。接続点１８の電圧１９を抵抗１２Ｂ，抵抗１２Ｃにて分圧した値を制御部７Ｂが受け付け、受け付けた電圧が継続的に所定値以下であれば制御部７Ｂは電気調理器が動作したと認識して所定の風量で送風機を制御して排気を行う。
【００２１】
このように本発明の実施の形態３の調理器連動形レンジフードによれば、レンジフード本体と調理器を有線にて接続するので、簡単な構成でレンジフード本体と調理器との間で確実に連動を行うことができることとなる。
【００２２】
（実施の形態４）
図６に示すように、ガス調理器内に赤外線、電波、音波等の無線信号を送信するための連動用無線信号送信部２０、マイコン１４Ａ、コンロの着火を検出するための着火確認部１５Ａを設け、電気調理器内に連動用無線信号送信部２０Ａ、マイコン１４Ｂ、コンロの着火を検出するための着火確認部１５Ｂを設け、レンジフード本体（図示せず）内に赤外線、電波、音波等の無線信号を受信するための連動用無線信号受信部２１、制御部７Ｃを設けた構成とする。
【００２３】
上記構成において、ガス調理器内に設けられた着火確認部１５Ａからの信号をマイコン１４Ａが受け付け、あらかじめ設定した内容に従ってマイコン１４Ａから出力された信号が連動用無線信号送信部２０よりレンジフード本体（図示せず）内に設けられた連動用無線信号受信部２１へ送信され、連動用無線信号受信部２１から制御部７Ｃが、あらかじめ設定した内容の信号を受け付けると、所定のモードに従い送風機（図示せず）を制御して排気を行う。
【００２４】
また、電気調理器内に設けられた着火確認部１５Ｂからの信号をマイコン１４Ｂが受け付け、あらかじめ設定した内容に従ってマイコン１４Ｂから出力された信号が連動用無線信号送信部２０Ａよりレンジフード本体内に設けられた連動用無線信号受信部２１へ送信され、連動用無線信号受信部２１から制御部７Ｃが、あらかじめ設定した内容の信号を受け付けると、所定のモードに従い送風機を制御して排気を行う。
【００２５】
このように本発明の実施の形態４の調理器連動形レンジフードによれば、レンジフード本体と調理器との間を赤外線、電波、音波等の無線信号にて通信するので、レンジフード本体と調理器とを接続する必要がなく設置工事が簡単にできるという作用を有する。
【００２６】
【発明の効果】
以上の実施の形態から明らかなように、本発明によれば台所に設けた調理器から発生する油煙や湿気を室外へ排気する送風機と、前記調理器がガス調理器か電気調理器であるか、および動作状態を認識し識別する識別部と、この識別部によりガス調理器と識別されたときに、ガスの燃焼状態に合わせて排気風量調節を行うガス調理器モードと、前記識別部により電気調理器と識別されたときに所定の風量にて運転する電気調理器モードとを設けた制御部とを備え、前記送風機を前記識別部により自動的に識別された調理器に対応したモードで前記制御部により運転制御する構成としたので、適切な排気量を確保できる調理器連動型レンジフードを提供することができる。
【００２７】
また、制御部に手動運転モードを設け、排気風量を手動調節する運転指定部の操作により制御する構成としたので、使用者は必要に応じ手動で排気風量を設定することができ、使用者の意志を反映した排気風量を確保することができる。
【００２８】
また、制御部および調理器に連動用出力接続部を設け、制御部と調理器の連動用出力接続部を有線で接続し連動させる構成としたので、簡単な構成でレンジフード本体と調理器との間で確実に連動を行うことができる。
【００２９】
また、調理器に連動用無線信号送信部を設け、制御部に前記調理器からの無線信号を受信する連動用無線信号受信部を接続し連動させる構成としたので、レンジフード本体と調理器とを有線で接続する必要がなく設置工事が簡単にできる。
【図面の簡単な説明】
【図１】本発明の実施の形態１の調理器連動形レンジフードの構成を示すブロック図
【図２】同調理器連動型レンジフードの設置状態を示す断面図
【図３】本発明の実施の形態２の調理器連動形レンジフードの構成を示すブロック図
【図４】本発明の同実施の形態３の調理器連動形レンジフードの構成を示すブロック図
【図５】同調理器連動型レンジフードの電圧波形のタイムチャート
【図６】本発明の実施の形態４の調理器連動型レンジフードの構成を示すブロック図
【図７】従来の調理器連動形レンジフードの構成を示すブロック図
【符号の説明】
１      台所
２      調理器
３      送風機
６      識別部
７      制御部
７Ａ    制御部
７Ｂ    制御部
７Ｃ    制御部
９      運転指定部
１０    連動出力部
１０Ａ  連動出力部
１０Ｂ  連動出力部
【図１】
0003655995.tif 000002
【図２】
0003655995.tif 000003
【図３】
0003655995.tif 000004
【図４】
0003655995.tif 000005
【図５】
0003655995.tif 000006
【図６】
0003655995.tif 000007
【図７】
0003655995.tif 000008